【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
遊技者が表示結果を導出させるために操作する導出操作手段と、
前記導出操作手段の操作に応じて表示結果を導出する導出制御手段と、
特典を付与することが可能な特典付与手段と、
前記複数の可変表示部に導出された表示結果の組合せに応じた報知演出を実行することが可能な演出実行手段とを備え、
前記特典付与手段は、前記複数の可変表示部に跨る複数のラインのうち一のラインに同一または類似の識別情報の組合せである特定識別情報組合せが導出されたときは、前記一のラインとは異なる他のラインに前記特定識別情報組合せが導出されたときとは異なる特典を付与し、
前記一のラインに前記特定識別情報組合せが導出されたときは、前記他のラインに前記特定識別情報組合せが導出されたときとは異なる態様で報知演出を実行する、スロットマシン。
【請求項２】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
遊技者が表示結果を導出させるために操作する導出操作手段と、
前記導出操作手段の操作に応じて表示結果を導出する導出制御手段と、
特典を付与することが可能な特典付与手段と、
前記複数の可変表示部に導出された表示結果の組合せに応じた報知演出を実行することが可能な演出実行手段とを備え、
前記特典付与手段は、前記複数の可変表示部に跨る複数のラインのうち一のラインに同一または類似の識別情報の組合せである特定識別情報組合せが導出されたときは、前記一のラインとは異なる他のラインに前記特定識別情報組合せが導出されたときとは異なる特典を付与し、
前記一のラインに前記特定識別情報組合せが導出されたときには前記報知演出を実行し、前記他のラインに前記特定識別情報組合せが導出されたときには前記報知演出を実行しない、スロットマシン。
【手続補正２】
【補正対象書類名】明細書
【補正対象項目名】０００８
【補正方法】変更
【補正の内容】
【０００８】
（１）上記目的を達成するため、本発明の第１の観点に係るスロットマシンは、
各々が識別可能な複数種類の識別情報を変動表示可能な可変表示部（例えば、リール２Ｌ、２Ｃ、２Ｒ）を複数備え、
前記可変表示部を変動表示した後、前記可変表示部の変動表示を停止することで表示結果を導出し、複数の可変表示部の表示結果の組合せに応じて入賞が発生可能なスロットマシン（例えば、スロットマシン１）において、
遊技者が表示結果を導出させるために操作する導出操作手段（例えば、ストップスイッチ８Ｌ、８Ｃ、８Ｒ）と、
前記導出操作手段の操作に応じて表示結果を導出する導出制御手段（例えば、メイン制御部４１が内部抽選結果及びトップスイッチ８Ｌ、８Ｃ、８Ｒの操作に応じてリール２Ｌ、２Ｃ、２Ｒの停止制御を行う処理）と、
特典（例えば、メダル獲得）を付与することが可能な特典付与手段（例えば、メイン制御部４１が入賞判定結果に応じてメダルの払出制御を行う処理）と、
前記複数の可変表示部に導出された表示結果の組合せに応じた報知演出（例えば、リールＬＥＤ５５によるバックライトフラッシュの出力、スピーカ５３、５４による払出音の音声出力、液晶表示器５１による画像表示、透過液晶画像）を実行することが可能な演出実行手段（例えば、サブ制御部９１が実行するステップＳ２０３、Ｓ２０４、Ｓ２０６、Ｓ２０７の処理）とを備え、
前記特典付与手段は、前記複数の可変表示部に跨る複数のラインのうち一のライン（例えば、入賞ラインＬＮ）に同一または類似の識別情報（例えば、ベル図柄）の組合せである特定識別情報組合せ（例えば、ベル図柄が揃う組合せ）が導出されたとき（例えば、中段ベルに入賞したとき）は、前記一のラインとは異なる他のライン（例えば、無効ラインＬＭ１〜ＬＭ４）に前記特定識別情報組合せが導出されたとき（例えば、１枚ベルに入賞したとき）とは異なる特典を付与し（例えば、メイン制御部４１は、中段ベルに入賞したときには８枚のメダルを払い出すとともに、１枚ベルに入賞したときには１枚のメダルを払い出し）、
前記一のラインに前記特定識別情報組合せが導出されたときは、前記他のラインに前記特定識別情報組合せが導出されたときとは異なる態様で報知演出を実行する（例えば、サブ制御部９１はステップＳ２０２、Ｓ２０３、Ｓ２０５、Ｓ２０６の処理を実行する）。
なお、本願において、「特典」には、例えば、メダルの払い出し、再遊技の実行、ボーナス・ＡＴの付与、プレミア演出の実行等のような「遊技者にとって有利な事象」が含まれる。また、「異なる特典」には、例えば、メダルの払い出しに対する再遊技の実行のような「異なる種類の特典」という意味だけでなく、例えば、８枚のメダルの払い出しに対する１枚のメダルの払い出しのような「同一の種類であっても異なる価値の特典」という意味も含まれる。また、「類似の識別情報」には、例えば、形状が同一で色彩が異なる識別情報（例えば、色違いのベル）、形状の一部が異なる識別情報（例えば、模様や別の画像が付与されたベル、別の画像が上書きされて輪郭の一部が欠けたベル）、形状や色彩が異なるが同一の物を意味する識別情報（例えば、色や形が異なるチェリー、色や形が異なるスイカ）等が含まれる。
【手続補正３】
【補正対象書類名】明細書
【補正対象項目名】００１０
【補正方法】変更
【補正の内容】
【００１０】
（２）上記目的を達成するため、本発明の第２の観点に係るスロットマシンは、
各々が識別可能な複数種類の識別情報を変動表示可能な可変表示部（例えば、リール２Ｌ、２Ｃ、２Ｒ）を複数備え、
前記可変表示部を変動表示した後、前記可変表示部の変動表示を停止することで表示結果を導出し、複数の可変表示部の表示結果の組合せに応じて入賞が発生可能なスロットマシン（例えば、スロットマシン１）において、
遊技者が表示結果を導出させるために操作する導出操作手段（例えば、ストップスイッチ８Ｌ、８Ｃ、８Ｒ）と、
前記導出操作手段の操作に応じて表示結果を導出する導出制御手段（例えば、メイン制御部４１が内部抽選結果及びトップスイッチ８Ｌ、８Ｃ、８Ｒの操作に応じてリール２Ｌ、２Ｃ、２Ｒの停止制御を行う処理）と、
特典（例えば、メダル獲得）を付与することが可能な特典付与手段（例えば、メイン制御部４１が入賞判定結果に応じてメダルの払出制御を行う処理）と、
前記複数の可変表示部に導出された表示結果の組合せに応じた報知演出（例えば、リールＬＥＤ５５によるバックライトフラッシュの出力、スピーカ５３、５４による払出音の音声出力、液晶表示器５１による画像表示、透過液晶画像）を実行することが可能な演出実行手段（例えば、サブ制御部９１が実行するステップＳ２０３、Ｓ２０４、Ｓ２０６、Ｓ２０７の処理）とを備え、
前記特典付与手段は、前記複数の可変表示部に跨る複数のラインのうち一のライン（例えば、入賞ラインＬＮ）に同一または類似の識別情報（例えば、ベル図柄）の組合せである特定識別情報組合せ（例えば、ベル図柄が揃う組合せ）が導出されたとき（例えば、中段ベルに入賞したとき）は、前記一のラインとは異なる他のライン（例えば、無効ラインＬＭ１〜ＬＭ４）に前記特定識別情報組合せが導出されたとき（例えば、１枚ベルに入賞したとき）とは異なる特典を付与し（例えば、メイン制御部４１は、中段ベルに入賞したときには８枚のメダルを払い出すとともに、１枚ベルに入賞したときには１枚のメダルを払い出し）、
前記一のラインに前記特定識別情報組合せが導出されたときには前記報知演出を実行し、前記他のラインに前記特定識別情報組合せが導出されたときには前記報知演出を実行しない（例えば、サブ制御部９１は、中段ベルに入賞したときには黄色で中段バックライトフラッシュを出力するとともに、１枚ベルに入賞したときにはバックライトフラッシュを出力しない）。